(57)【要約】【課題】外郭ケースを金属で形成しながら、適切な吸気口を確保し、かつ、部品点数を削減すること。【解決手段】本体ケース３６の底面から吸気通路５２側に突出量を可変にした遮音板４０を設け、遮音板４０の先端を本体設置面５１に当接させることにより、吸気口３７で発生する吸気音を遮音板４０で遮り、使用者に聞こえる騒音を低減することができる。【選択図】図１
2010251091.tif 000002
【特許請求の範囲】
【請求項１】
本体の天面に設けられ絶縁物で形成されるトッププレートと、前記トッププレートを保持し、外殻を形成する金属製の外郭ケースと、前記トッププレート上の被加熱物を誘導加熱する加熱コイルと、前記外郭ケース底面に設けられる第１の吸気口の上方に設けられ、前記第１の吸気口から吸い込まれた風により前記本体内部を冷却する冷却ファンと、前記加熱コイルに高周波電流を供給する制御基板と、前記制御基板を載置する樹脂製の基板ケースを備え、前記基板ケースは前記外郭ケース底面上に載置され、前記基板ケースは前記外郭ケースの底面に設けられた前記第１の吸気口に嵌め込まれ前記外郭ケース底面を貫通させて突き出されてなる側壁と吸気口カバーを有し、前記側壁に設けた第２の吸気口から吸い込んだ外気を前記第１の吸気口を介して前記本体内部に送風する構成とした誘導加熱調理器。
【請求項２】
吸気口カバーに第３の吸気口を設けた請求項１に記載の誘導加熱調理器。
【請求項３】
基板ケースと側壁と吸気口カバーを樹脂で同時に一体成型加工した請求項１または２に記載の誘導加熱調理器。
【請求項４】
冷却ファンはファンモーターを保持すファンケースを備え、基板ケースは外郭ケースと前記ファンケースとで挟まれて固定されてなる請求項１〜３のいずれかに１項に記載の誘導加熱調理器。
【請求項５】
基板ケース底面に下方に突出する脚を設け、前記脚を外郭ケースの底面に設けた穴を貫通させて、前記外郭ケースの底面下方に突き出して本体を支える脚とした請求項１〜４のいずれかに１項に記載の誘導加熱調理器。
【請求項６】
基板ケースと脚を樹脂で同時に一体成型加工した請求項５に記載の誘導加熱調理器。
【請求項７】
外郭ケースに設けられた固定穴と、前記固定穴を貫通して前記外郭ケースと基板ケースを固定する固定手段を備え、脚の断面形状を略Ｌ字型にして、前記脚を前記固定手段と前記固定手段に近い側の本体側壁の間に設けた請求項５または６に記載の誘導加熱調理器。
【発明の詳細な説明】
【技術分野】
【０００１】
本発明は、キッチンキャビネットなどの天板上に設置して使用する、または、卓上に置いて使用する誘導加熱調理器に関するものである。
【背景技術】
【０００２】
従来、この種の誘導加熱調理器としては、金属製の外郭ケースの底に設けた吸気口から外気を吸い込んで外郭ケース内に送風し、本体内の温度上昇を抑えるものがある（例えば、特許文献１参照）。
【０００３】
その構成は図７に示すように、本体の天面に設けられ絶縁物で形成されるトッププレート１と、トッププレート１を保持し、外殻を形成する金属製の外郭ケース２と、トッププレート１上の被加熱物３を誘導加熱する加熱コイル４と、外郭ケース２底面に設けられる吸気口５の上方に設けられ、吸気口５から吸い込まれた風により前記本体内部を冷却する冷却ファン６と、加熱コイル４に高周波電流を供給する制御基板７と、制御基板７を載置する樹脂製の基板ケース８を備えている。また、外郭ケース２の底には脚９が取り付けられ、外郭ケース６と設置面との間に吸気通路を形成している。加熱体３に通電すると冷却ファン６が回転し、吸気口を通って本体内に吸い込まれ、加熱コイル４や制御基板７を冷却する。
【先行技術文献】
【特許文献】
【０００４】
【特許文献１】特開平６−６０９７２号公報
【発明の概要】
【発明が解決しようとする課題】
【０００５】
しかしながら、前記従来の構成では、トッププレート、外郭ケースは不燃化構造とするため金属、またはガラスで構成されており、吸気口を金属製の外郭ケースに設けなければならず、吸気のための最適な形状を作りにくく、吸気抵抗が増加する、風切音が発生するなどの課題を有していた。また、略底面方向にしか吸気口を設けられないため、シートのようなものが吸い付いた場合、吸気できなくなるという課題を有していた。また、別の構成として、図８示すように、吸気口２８部分を樹脂で成型した場合は前述の課題はなくなるが、構成部品が増えるという課題を有していた。
【０００６】
また、吸気経路を確保するために、外郭ケースに脚を取り付けて、設置面からのスペースを確保する必要があり、別部品となる４つの脚９を外郭ケースに取り付けなければならなかった。
【０００７】
本発明は前記従来の課題を解決するもので、外郭ケースを金属で形成しながら、適切な吸気口を確保し、かつ、部品点数を削減するものである。
【課題を解決するための手段】
【０００８】
前記従来の課題を解決するために本発明の誘導加熱調理器は、基板ケースは外郭ケース底面上に載置され、基板ケースは外郭ケースの底面に設けられた前記第１の吸気口に嵌め込まれ外郭ケース底面を貫通させて突き出されてなる側壁と吸気口カバーを有し、側壁に設けた第２の吸気口から吸い込んだ外気を第１の吸気口を介して前記本体内部に送風するようにしたものである。
【０００９】
これによって、吸気口での吸気抵抗を減らし、風切音の発生を抑えることができ、かつ、部品点数を増やさないようにすることができる。
【発明の効果】
【００１０】
本発明の誘導加熱調理器は、吸気口での吸気抵抗を減らし、風切音の発生を抑えることができ、かつ、部品点数を増やさないようにすることができる。
【図面の簡単な説明】
【００１１】
【図１】本発明の実施の形態１における誘導加熱調理器の断面図
【図２】本発明の実施の形態２における誘導加熱調理器の断面図
【図３】本発明の実施の形態４における誘導加熱調理器の要部断面図
【図４】本発明の実施の形態５における誘導加熱調理器の断面図
【図５】本発明の実施の形態７における誘導加熱調理器の要部断面図
【図６】本発明の実施の形態７における誘導加熱調理器の平面図
【図７】従来の誘導加熱調理器の断面図
【図８】従来の誘導加熱調理器の断面図
【発明を実施するための形態】
【００１２】
第１の発明は、基板ケースは外郭ケース底面上に載置され、基板ケースは外郭ケースの底面に設けられた前記第１の吸気口に嵌め込まれ外郭ケース底面を貫通させて突き出されてなる側壁と吸気口カバーを有し、側壁に設けた第２の吸気口から吸い込んだ外気を第１の吸気口を介して前記本体内部に送風するようにしたことにより、吸気口での吸気抵抗を減らし、風切音の発生を抑えることができ、かつ、部品点数を増やさないようにすることができる。
【００１３】
第２の発明は、第１の発明において、吸気口カバーに第３の吸気口を設けたもので、吸気抵抗をさらに低減することができる。
【００１４】
第３の発明は、第１〜２のいずれか１つの発明において、基板ケースと側壁と吸気口カバーを樹脂で同時に一体成型加工したもので、部品点数を削減することができる。
【００１５】
第４の発明は、第１〜３の発明において、冷却ファンはファンモーターを保持すファンケースを備え、基板ケースは外郭ケースと前記ファンケースとで挟まれて固定されるようにしたものであり、組み立て工数を削減することができる。
【００１６】
第５の発明は、第１〜４の発明において、基板ケース底面に下方に突出する脚を設け、前記脚を外郭ケースの底面に設けた穴を貫通させて、前記外郭ケースの底面下方に突き出して本体を支える脚としたもので、吸気経路を確保することができる。
【００１７】
第６の発明は、第５の発明において、基板ケースと脚を樹脂で同時に一体成型加工したもので、部品点数を削減することができる。
【００１８】
第７の発明は、第５〜６の発明において、外郭ケースに設けられた固定穴と、前記固定穴を貫通して前記外郭ケースと基板ケースを固定する固定手段を備え、脚の断面形状を略Ｌ字型にして、前記脚を前記固定手段と前記固定手段に近い側の本体側壁の間に設けたもので、固定手段を隠すことにより、外観を良くすることができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における誘導加熱調理器の断面図を示すものである。
【００２１】
図１に示すように、本体の天面に設けられ絶縁物で形成されるトッププレート１０と、トッププレート１０を保持し、外殻を形成する金属製の外郭ケース１１と、トッププレート１０上の被加熱物１２を誘導加熱する加熱コイル１３と、外郭ケース１１底面に設けられる第１の吸気口１４の上方に設けられ、第１の吸気口１４から吸い込まれた風により本体内部を冷却する冷却ファン１５と、加熱コイル１３に高周波電流を供給する制御基板１６と、制御基板１６を載置する樹脂製の基板ケース１７を備え、基板ケース１７は外郭ケース１１底面上に載置され、基板ケース１７は外郭ケース１１の底面に設けられた前記第１の吸気口１４に嵌め込まれ外郭ケース１１底面を貫通させて突き出されてなる側壁１８と吸気口カバー１９を有し、側壁１８に設けた第２の吸気口２０から吸い込んだ外気を第１の吸気口１４を介して本体内部に送風する構成としている。
【００２２】
以上のように形成された誘導加熱調理器について、以下その動作、作用を説明する。
【００２３】
本体を電源に接続して通電すると、加熱コイル１３、制御回路１６が作動しトッププレート１０上に置いた被加熱物１２が加熱される。この時、冷却ファン１５も回転し、第２の吸気口２０を通って、第１の吸気口１４から外気が吸い込まれ、加熱コイル１３や制御基板１６が冷却される。第２の吸気口を通過する時に発生する吸気音は、第２の吸気口を吸気抵抗を抑える形状に樹脂で成型することにより、効率よく外気を取り込むことができる。
【００２４】
このように、本実施の形態においては、基板ケースは外郭ケース底面上に載置され、基板ケースは外郭ケースの底面に設けられた前記第１の吸気口に嵌め込まれ外郭ケース底面を貫通させて突き出されてなる側壁と吸気口カバーを有し、側壁に設けた第２の吸気口から吸い込んだ外気を第１の吸気口を介して前記本体内部に送風するようにしたことにより、吸気口での吸気抵抗を減らし、風切音の発生を抑えることができ、かつ、部品点数を増やさないようにすることができる。
【００２５】
（実施の形態２）
図２は、本発明の第２の実施の形態における誘導加熱調理器の断面図を示している。実施の形態１と同一要素については同一符号を付してその説明を省略する。
【００２６】
本実施の形態における誘導加熱調理器は、吸気口カバーに第３の吸気口２１を設けたものである。
【００２７】
このように、本実施の形態においては、遮吸気口カバーに第３の吸気口２１を設けたことにより、さらに吸気の抵抗を減らすことができる。
【００２８】
（実施の形態３）
第３の実施の形態における誘導加熱調理器は、基板ケース１７と側壁１８と吸気口カバー１９を樹脂で同時に一体成型加工したものである。
【００２９】
このように、基板ケース１７と側壁１８と吸気口カバー１９を樹脂で同時に一体成型加工することにより、部品点数を削減することができる。
【００３０】
（実施の形態４）
図３は、第４の実施の形態における誘導加熱調理器の要部断面図を示している。実施の
形態１と同一要素については同一符号を付してその説明を省略する。
【００３１】
本実施の形態における誘導加熱調理器は、冷却ファン１５はファンモーター２２を保持すファンケース２３を備え、基板ケース１７は外郭ケース１１とファンケース２３とで挟まれて固定されるようにしたものである。
【００３２】
基板ケース１７を外郭ケース１１とファンケース２３とで挟まれて固定されるようにしたもことにより、組み立て工数を削減することができる。
【００３３】
（実施の形態５）
図４は、第５の実施の形態における誘導加熱調理器の断面図を示している。実施の形態１と同一要素については同一符号を付してその説明を省略する。
【００３４】
本実施の形態における誘導加熱調理器は、基板ケース１７底面に下方に突出する脚２４を設け、脚２４を外郭ケース１１の底面に設けた穴を貫通させて、外郭ケース１１の底面下方に突き出して本体を支える脚としたものである。
【００３５】
基板ケース１７底面に下方に突出する脚２４を設け、本体を支える脚としたから、吸気経路を確保することができる。
【００３６】
（実施の形態６）
第６の実施の形態における誘導加熱調理器は、基板ケース１７と脚２４を樹脂で同時に一体成型加工したものである。
【００３７】
基板ケース１７と脚２４を樹脂で同時に一体成型加工したことにより、部品点数を削減することができる。
【００３８】
（実施の形態７）
図５は、第７の実施の形態における誘導加熱調理器の要部断面図を示している。図６は、第７の実施の形態における誘導加熱調理器の平面図を示している。実施の形態１と同一要素については同一符号を付してその説明を省略する。
【００３９】
本実施の形態における誘導加熱調理器は、外郭ケース１１に設けられた固定穴２５と、固定穴２５を貫通して外郭ケースと基板ケースを固定する固定手段２６を備え、脚２４の断面形状を略Ｌ字型にして、脚２４を固定手段２６と固定手段２６に近い側の本体側壁２７の間に設けたものである。
【００４０】
脚２４の断面形状を略Ｌ字型にして、脚２４を固定手段２６と固定手段２６に近い側の本体側壁２７の間に設けて固定手段２６を隠すことにより、外観を良くすることができる。
【産業上の利用可能性】
【００４１】
以上のように、本発明にかかる誘導加熱調理器は、吸気口での吸気抵抗を減らし、風切音の発生を抑えることができ、かつ、部品点数を増やさないようにすることができるので、誘導加熱調理器に限らずキッチンキャビネットの上に設置、または、卓上に設置する冷却ファン搭載機器に適用できる。
【符号の説明】
【００４２】
１０  トッププレート
１１  外郭ケース
１３  加熱コイル
１４  第１の吸気口
１５  冷却ファン
１６  制御基板
１７  基板ケース
１８  側壁
１９  吸気口カバー
２０  第２の吸気口
２１  第３の吸気口
２４  脚
【図１】
2010251091.tif 000003
【図２】
2010251091.tif 000004
【図３】
2010251091.tif 000005
【図４】
2010251091.tif 000006
【図５】
2010251091.tif 000007
【図６】
2010251091.tif 000008
【図７】
2010251091.tif 000009
【図８】
2010251091.tif 000010